(57)【要約】【課題】  簡単かつ確実に洗浄するペットの頭部を出し入れすることができるペット用自動洗浄機を提供する。【解決手段】  洗浄室１内に入れたペットを洗浄するペット用自動洗浄機５０において、ペットの頭部を前記洗浄室内から外部に出すための穴３と、前記穴の大きさを調節する首径調節機構２０、３０と、前記穴の高さを調節する高さ調節機構１０と、を備えた。【選択図】図１
2005204563.tif 000002
【特許請求の範囲】
【請求項１】
洗浄室内に入れたペットを洗浄するペット用自動洗浄機において、
ペットの頭部を前記洗浄室内から外部に出すための穴と、
前記穴の大きさを調節する首径調節機構と、
前記穴の高さを調節する高さ調節機構と、
を備えたことを特徴としたペット用自動洗浄機。
【請求項２】
前記首径調節機構は、前記穴を袋状をした弾性部材によって形成し、前記弾性部材に加える圧力を調節することによって前記弾性部材を伸縮させて前記穴の大きさを調節することを特徴とした請求項１に記載のペット用自動洗浄機。
【請求項３】
前記首径調節機構は、前記穴を摺動可能に重なり合って環状に並ぶ複数のはねによって形成し、各はねをピンによって回動可能に支持し、各はねと接続したカムを動作させることによって各はねを前記ピンまわりに回動させて前記穴の大きさを調節する構成としたことを特徴とした請求項１に記載のペット用自動洗浄機。
【請求項４】
前記高さ調節機構は、前記穴が開口した可動板と、この可動板を上下に移動させるアクチュエータと、を備え、前記穴の高さを調節することを特徴とした請求項１に記載のペット用自動洗浄機。
【発明の詳細な説明】
【技術分野】
【０００１】
本発明は、ペット用自動洗浄機の改良に関するものである。
【背景技術】
【０００２】
ペット（犬）を自動洗浄する装置として、ペット用自動洗浄機がある。このペット用自動洗浄機は６面を壁に囲まれた洗浄室内に犬の全身を入れ、多方向から水流を当てて犬をシャワー洗浄するものである。
【０００３】
このペット用自動洗浄機の欠点として、耳の立った犬を洗浄した場合、耳の内部に水が侵入してしまうため、この水の影響で病気が発生する懸念がある。また、密閉した洗浄室内に犬を閉じ込めることから、犬に心理的な不安を与えるという問題もある。
【０００４】
特許文献１には、ペットの頭部を外部に出した状態で洗浄を行えるペット洗浄機が記載されている。このペット洗浄機では、差し替え自在の頭だし板に設けられた頭出し穴からペットの頭部を外部に出すことによって、上述の問題を解決しようとしている。
【特許文献１】実開昭平７−１８５４８号公報
【発明の開示】
【発明が解決しようとする課題】
【０００５】
しかし、ペットの頭部の位置はペットの種類や個体によって異なるため、このペット洗浄機では、洗浄するペットが変わるごとに、そのペットに適合した頭出し孔を有する頭出し板に変える必要があった。これでは、頭出し板を取り替える手間がかかり、また、複数の頭出し板を用意しなければならなかった。
【０００６】
したがって、本発明の目的は、上述の問題を解決し、洗浄するペットの首の位置やサイズにすばやく適合でき、頭部を外部に出して洗浄できるペット用自動洗浄機を提供する。
【課題を解決するための手段】
【０００７】
上記目的を達成するために、第１の発明は、洗浄室内に入れたペットを洗浄するペット用自動洗浄機において、ペットの頭部を前記洗浄室内から外部に出すための穴と、前記穴の大きさを調節する首径調節機構と、前記穴の高さを調節する高さ調節機構と、を備えた。
【０００８】
第２の発明は、前記首径調節機構は、前記穴を袋状をした弾性部材によって形成し、前記弾性部材に加える圧力を調節することによって前記弾性部材を伸縮させて前記穴の大きさを調節する。
【０００９】
第３の発明は、前記首径機構は、前記穴を摺動可能に重なり合って環状に並ぶ複数のはねによって形成し、各はねをピンによって回動可能に支持し、各はねと接続したカムを動作させることによって各はねを前記ピンまわりに回動させて前記穴の大きさを調節する。
【００１０】
第４の発明は、前記高さ調節機構は、前記穴が開口した可動板と、この可動板を上下に移動させるアクチュエータと、を備え、前記穴の高さを調節する。
【発明の効果】
【００１１】
第１の発明によると、洗浄するペットの頭部の出し入れを簡単かつ確実に行うことができる。異なる首の高さや首の大きさのペットを洗浄する場合においても、簡単かつ確実に穴の高さおよび大きさを調節できるため、あらゆるペットの種類にも対応でき、また、確実にペットの頭部を洗浄室から出すことができる。したがって、洗浄するペットの耳や目を保護し、かつ、ペットに心理的な不安を与えることなくペットの洗浄を行うことができる。
【００１２】
第２の発明によると、ペットの頭部の出し入れを行うとき、袋状をした弾性部材を収縮させて穴を大きくし、洗浄を行うとき、弾性部材を伸張させて穴をペットの首まわりにフィットさせる。これにより、簡単かつ確実に洗浄するペットの頭部の出し入れを行うことができ、また、洗浄中でも、洗浄室内の水が穴から外部に漏れることを防止する。
【００１３】
第３の発明によると、ペットの頭部の出し入れを行うとき、各はねを穴の外側方向に回動させて穴を大きくし、洗浄を行うとき、各はねを穴の内側方向に回動させて穴をペットの首まわりにフィットさせる。これにより、簡単かつ確実に洗浄するペットの頭部の出し入れを行うことができ、また、洗浄中でも、洗浄室内の水が穴から外部に漏れることを防止する。
【００１４】
第４の発明によると、アクチュエータにより可動板の高さをかえることにより、穴の高さを調節することができ、首の高さの違うペットを洗浄する場合でも、簡単かつ確実に穴の高さをペットの首の高さに合わせることができる。
【発明を実施するための最良の形態】
【００１５】
以下、本発明の実施形態を添付図面に基づいて説明する。
【００１６】
図１は、本実施形態によるペット用自動洗浄機５０を示す。
【００１７】
ペット用自動洗浄機５０は、６面を壁に囲まれた長方体形状の洗浄室１を備える。洗浄室１の内部に複数のノズルを設け、これらノズルから多方向から犬に水流を当てて犬を洗浄する。
【００１８】
洗浄室１は、その側面４に、洗浄室１内の犬が頭部を洗浄室１から外部に出すための穴３を備える。
【００１９】
ペット用自動洗浄機５０は、この穴３の大きさ調節する首径調節機構２０を備える。
【００２０】
図２は、本実施形態による首径調節機構２０を示す。
【００２１】
首径調節機構２０は、穴３を形成する袋状をした弾性部材２１を備える。詳細には、弾性部材２１を円盤状に形成し、円環状の蛇腹構造をもたせた。
【００２２】
首径調節機構２０を後述する可動板２２で支持した。首径調節機構２０に、図示しない空気圧または水圧などの圧力供給源を設けた。圧力供給源で圧力を加えたり抜いたりすることにより、弾性部材２１を伸縮させ、穴３の大きさを調整する。
【００２３】
犬の頭部を穴３に通すときは、弾性部材２１を縮めて穴３を大きくする。そして、犬の頭部が穴３を通って外部に出た後、弾性部材２１を伸ばして穴３を縮小し、犬の首にフィットさせる。
【００２４】
犬の頭部の出し入れを行うとき、袋状をした弾性部材２１を収縮させて穴３を大きくし、洗浄を行うとき、弾性部材２１を伸張させて穴３を犬の首まわりにフィットさせる。これにより、簡単かつ確実に洗浄する犬の頭部の出し入れを行うことができ、また、洗浄中でも、洗浄室１内の水が穴３から外部に漏れることを防止する。
【００２５】
ペット用自動洗浄機５０は、穴３の高さを調節する高さ調節機構１０を備える。
【００２６】
図３は、本実施形態による高さ調節機構１０を示す。
【００２７】
高さ調節機構１０は、穴３が開口した可動板２２と、この可動板２２を上下に移動させるアクチュエータ１５とを備える。
【００２８】
可動板２２の上下に、それぞれ摺動可能に重なり合った複数の板１１で構成する第１、第２可動部１２、１３を設けた。
【００２９】
アクチュエータ１５は、空気圧または水圧などを駆動源とする圧力シリンダである。高さ調節機構１０は、圧力シリンダ１５を伸縮させることによって可動板２２を上下に移動させ、首径調節機構２０の高さを調節する。
【００３０】
例えば、首の位置が高い犬を洗浄するときは、第２可動部１３を上に伸ばし、第１可動部１２を縮めることにより、首径対応機構２０の穴３の位置を高くする。逆に、首の位置が低い犬を洗浄するときは、第２可動部１３を下に縮め、第１可動部１２を伸ばすことにより、穴３の位置を低くする。
【００３１】
アクチュエータ１５により可動板２２の高さをかえることにより、穴３の高さを調節することができ、首の高さの違う犬を洗浄する場合でも、簡単かつ確実に穴３の高さをペットの首の高さに合わせることができる。
【００３２】
図４は、第２実施形態による首径調節機構３０を示す。
【００３３】
首径調節機構３０は、穴３を摺動可能に重なり合って環状に並ぶ複数のはね３１によって形成した。
【００３４】
図４の（ａ）に示すように、各はね３１の先端部３１ａを、隣接するはね３１の胴部３１ｂに摺動可能に重ね合わせて環状に配置する。各はね３１の円弧部３１ｃは、隣接するはね３１の円弧部３１ｃと接続し、連続した円弧を形成して穴３を構成する。
【００３５】
各はね３１を、ピン３２によってピン３２まわりに回転可能に可動板２２に支持する。各はね３１には、カム３７を貫入する細長いカム穴３６を設けた。カム３７には、図示しないサーボモータを接続した。
【００３６】
他の構成は第１実施形態と同じである。
【００３７】
サーボモータを動作させることによってカム３７を所定の方向に動かし、各はね３１をピン３２を中心として回動させる。各はね３１の先端部３１ａは、図４の（ｂ）に示すように、穴３の内側に移動し、穴３の大きさを縮小する。
【００３８】
穴３を拡大させるときは、カム３７を上述とは逆方向に動かし、各はね３１の先端部３１ａを穴３の外側方向に移動する。
【００３９】
犬の頭部の出し入れを行うとき、各はね３１を穴３の外側方向に回動させて穴３を大きくし、洗浄を行うとき、各はね３１を穴３の内側方向に回動させて穴３をペットの首まわりにフィットさせる。これにより、簡単かつ確実に洗浄するペットの頭部の出し入れを行うことができ、また、洗浄中でも、洗浄室内の水が穴３から外部に漏れることを防止する。
【００４０】
このペット用自動洗浄機５０により、洗浄する犬の頭部の出し入れを簡単かつ確実に行うことができる。異なる首の高さや首の大きさの犬を洗浄する場合においても、穴の高さおよび大きさを調節できるため、あらゆる犬の種類にも対応でき、簡単かつ確実に犬の頭部を洗浄室１内から出して洗浄することができる。したがって、洗浄するペットの耳や目を保護し、かつ、ペットに心理的な不安を与えることなくペットの洗浄を行うことができる。
【００４１】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されない。したがって、本発明は、均等の原則に従って適切に解釈される特許請求の範囲に記載された範囲内におけるいかなる形態または変更についても含むものである。
【産業上の利用可能性】
【００４２】
本発明のペット用自動洗浄機は、犬、猫、馬、その他さまざまな動物の自動洗浄機に適用できる。
【図面の簡単な説明】
【００４３】
【図１】本発明によるペット用自動洗浄機を示す図である。
【図２】第１実施形態による首径調節機構を示す図であり、（ａ）は正面図、（ｂ）は断面図である。
【図３】第１実施形態による高さ調節機構を示す図であり、（ａ）は正面図、（ｂ）は断面図である。
【図４】第２実施形態による首径調節機構を示す図であり、（ａ）は穴を開いた図、（ｂ）は穴を絞った図である。
【符号の説明】
【００４４】
１  洗浄室
３  穴
１０  高さ調節機構
１１  板
１２  第１可動部
１３  第２可動部
１５  圧力シリンダ
２０、３０  首径調節機構
２１  弾性部材
【図１】
2005204563.tif 000003
【図２】
2005204563.tif 000004
【図３】
2005204563.tif 000005
【図４】
2005204563.tif 000006